(57)【要約】【課題】  ケーブル体およびコネクタを保持した端子部を有するケーブルにおいて、ケーブル体や端子部の大きさにかかわらず安定した状態で装着させられるコネクタ保護具を提供する。【解決手段】  固定部１２をブッシング部９の外周面に沿うように伸長させ、係止凸部１４が係止孔部１５に挿入されるよう嵌合させることにより、ケーブル２に対し固定部１２を楽に装着させられる。【選択図】図１
2019003738.tif 000002
【特許請求の範囲】
【請求項１】
配線がなされたケーブル体、および該ケーブル体の端部にあって前記配線に電気的に接続されたコネクタを保持した端子部を有するケーブルに装着されるコネクタ保護具であって、
前記コネクタに着脱自在に装着可能なキャップと、前記ケーブルのうち前記コネクタを除く部分に装着される固定部と、前記キャップおよび前記固定部を連結する連結部とを備え、
前記固定部は伸縮性を有し、一表面を内面として前記ケーブルの外周面に巻付けることで該ケーブルに固定される帯状体とされたことを特徴とするコネクタ保護具。
【請求項２】
前記連結部は、前記固定部の他表面である外面に接続されている請求項１に記載のコネクタ保護具。
【請求項３】
前記固定部の他表面である外面において該固定部を前記ケーブルに巻付ける巻方向一端側寄りに、外向きに突出する係止凸部が一体に形成され、前記固定部の巻方向他端側寄りに、前記係止凸部が嵌合可能な係止孔部を備えた請求項１または請求項２に記載のコネクタ保護具。
【発明の詳細な説明】
【技術分野】
【０００１】
本発明は、例えばスマートフォン等の電子機器の充電のために電子機器に接続されるケーブルのコネクタを保護するための、コネクタ保護具に関する。
【背景技術】
【０００２】
この種のコネクタ保護具が、光ファイバ導線コネクタの保護スリーブとして特許文献１に記載されている。特許文献１に記載のケーブルは、電気配線が通されたケーブル体（導線）と、ケーブル体の両端に接続される保護スリーブと、保護スリーブに装着されて電気配線に電気的に接続されるコネクタとを備えている。
【０００３】
特許文献１に記載のコネクタ保護具は、ケーブルに装着される環体と、コネクタに着脱自在に装着されるキャップとを備えている。環体とキャップとは、線体を介して接続されている。
【０００４】
このコネクタ保護具では、特許文献１の図１ないし図３に示すように、保護スリーブに設けたブッシング部に環体を挿通し、ケーブル体の端部をブッシング部に挿通し、ケーブル体の端部にコネクタを接続するようにしてコネクタを保護スリーブに装着することで、コネクタ保護具がケーブルに装着される。
【先行技術文献】
【特許文献】
【０００５】
【特許文献１】特開２００３−１９５０９９号公報
【発明の概要】
【発明が解決しようとする課題】
【０００６】
ところで、従来から径の異なるケーブル体が種々提案されている。このため、異なる径のケーブル体に対応できるよう、異なる径の環体を備えたコネクタ保護具を複数準備することが考えられる。しかしながらそうなると、コネクタ保護具の種類が多くなるからその管理が煩わしくなることに加え、供給コストが高くなる。そこで、異なる径のケーブル体であっても共通に用いることができるように、一定の径に形成した環体を有したコネクタ保護具を準備することで、管理が容易になり供給コストも抑えることができる。
【０００７】
しかしながら、環体の径を一定にしてしまうと、ケーブル体の径が小さければ環体を安定してケーブル体に装着できず、ケーブル体の径が大きければケーブル体に環体が装着できないという不具合が生じる。
【０００８】
また、特許文献１で紹介した場合以外の例として、ケーブル体、およびコネクタを保持した端子部が予め一体化された製品に対して、環体を端子部に挿通するようにして、コネクタ保護具をケーブルに装着する場合がある。ところが、同一規格のケーブルであっても、端子部の大きさを異ならせた製品があって、端子部の大きさによっては、環体を端子部に挿通できない。
【０００９】
そこで本発明は、ケーブル体およびコネクタを保持した端子部を有するケーブルにおいて、ケーブル体や端子部の大きさにかかわらず安定した状態で装着させられるコネクタ保護具の提供を目的とする。
【課題を解決するための手段】
【００１０】
本発明は、配線がなされたケーブル体、および該ケーブル体の端部にあって前記配線に電気的に接続されたコネクタを保持した端子部を有するケーブルに装着されるコネクタ保護具であって、前記コネクタに着脱自在に装着可能なキャップと、前記ケーブルのうち前記コネクタを除く部分に装着される固定部と、前記キャップおよび前記固定部を連結する連結部とを備え、前記固定部は伸縮性を有し、一表面を内面として前記ケーブルの外周面に巻付けることで該ケーブルに固定される帯状体とされたことを特徴とする。
【００１１】
上記構成を備えた本発明のコネクタ保護具によれば、キャップおよび固定部は連結部により連結されているからキャップの紛失がない。また、固定部は伸縮性を有して帯状に形成されているから、ケーブルのうちコネクタを除く部分に、その径や大きさに応じて固定部を伸長させて巻付けることで、固定部を安定した状態で装着させられ、コネクタ保護具全体をケーブルに安定した状態で装着させた状態でキャップをコネクタに装着できる。  
【００１２】
本発明のコネクタ保護具では、前記連結部は、前記固定部の他表面である外面に接続された構成を採用することができる。
【００１３】
上記構成のコネクタ保護具では、固定部の一表面を内面とするようにしてケーブル体の外周面に巻付ける際に、連結部が固定部における他表面である外面に接続されていることで邪魔にならず、ケーブルへの装着対象部位に位置決めし易い。
【００１４】
本発明のコネクタ保護具では、前記固定部の他表面である外面において該固定部を前記ケーブルに巻付ける巻方向一端側寄りに、外向きに突出する係止凸部が一体に形成され、前記固定部の巻方向他端側寄りに、前記係止凸部が嵌合可能な係止孔部を備えた構成を採用することができる。
【００１５】
上記構成のコネクタ保護具では、一表面を内面として固定部をケーブルに巻き、係止凸部を内面側から係止孔部に嵌合させると、巻方向一端側寄りに係止凸部が配置され、巻方向他端側寄りに係止孔部が配置されていることで、固定部の巻方向両端どうしが径内方向径外方向で重なり、その分だけ固定部が巻方向に伸ばされているから、これにより固定部の弾性復元力が係止凸部と係止孔部との係止力として働いて係止凸部が係止孔部から外れにくく、したがって、固定部がケーブルへ安定して装着された状態を維持される。
【発明の効果】
【００１６】
本発明のコネクタ保護具によれば、ケーブル体およびコネクタを保持した端子部を有するケーブルにおいて、ケーブル体や端子部の大きさにかかわらず安定した状態で装着させられるといった効果を奏する。
【図面の簡単な説明】
【００１７】
【図１】図１は、本発明の一実施形態に係るコネクタ保護具の使用状態を表した一部断面図。
【図２】図２は、同全体の斜視図。
【図３】図３は、同側面図。
【図４】図４は、同底面図。
【図５】同ケーブルへの装着手順を表し、（ａ）は装着途中を表す平面図、（ｂ）は装着状態を表す平面図である。
【発明を実施するための形態】
【００１８】
以下、本発明の一実施形態に係るコネクタ保護具を、図面を参照しつつ説明する。図１に示すように、本実施形態に係るコネクタ保護具１は、装着対象物としてＵＳＢケーブル等のケーブル２に装着して使用される。このため、説明の便宜上、はじめにケーブル２についてその概略を説明する。
【００１９】
ケーブル２はＵＳＢケーブルであり、一般的な構成を備えている。すなわちケーブル２は、電気配線３（信号線を含む）が通された樹脂製のケーブル体４と、ケーブル体４に通された電気配線３に電気的に接続されたＵＳＢコネクタ５を有する端子部６とを備える。端子部６は、ＵＳＢコネクタ５と、ＵＳＢコネクタ５を保持する樹脂製の端子部本体７とを備える。ケーブル体４は、長尺のケーブル体本体８と、ケーブル体本体８と端子部本体７との間に配置されたブッシング部９とを一体的に備える。
【００２０】
ケーブル２では、ケーブル体本体８、ブッシング部９、端子部本体７のうち、ケーブル体本体８が最も小断面積に形成され、次いでブッシング部９、端子部本体７が順に大断面積に形成されている。なお、ブッシング部９は、電気配線３を大きく曲げられることを制限して電気配線３の断線を抑制する断線抑制部である。また、ブッシング部９は端子部本体７に対するケーブル体４の接続部分である。
【００２１】
したがって、ブッシング部９とケーブル体本体８との境界部分には、第一段付面１０が形成されている。また、ブッシング部９と端子部本体７との境界部分には、第二段付面１１が形成されている。
【００２２】
次に、コネクタ保護具１について詳述する。図２に示すように、コネクタ保護具１は、ケーブル２の一部を被覆可能な固定部１２と、固定部１２の表面である他表面１３に一体的に形成された係止凸部１４と、固定部１２に形成されて係止凸部１４が嵌合可能な係止孔部１５とを備える。また、コネクタ保護具１は、ＵＳＢコネクタ５を覆うためのキャップ１６をさらに備える。コネクタ保護具１は、全体を、可撓性および伸縮性を備えた材料（例えばシリコンゴム等）により形成されている。
【００２３】
固定部１２は、図２および図３に示すように、充分な可撓性および伸縮性を確保可能な一定の厚みに形成され、無負荷状態において矩形の帯状（板状）に形成されている。固定部１２は、図１に示すように、ケーブル２のうちＵＳＢコネクタ５を除く部分、例えばブッシング部９の外周面を被覆するよう巻付けられて、ブッシング部９に固定（装着）される。図２および図４に示すように、固定部１２の両端部は円弧状に形成されて面取りされている。固定部１２の一表面２１である内面は、ケーブル２に装着しやすいように平坦な面となっている。
【００２４】
図２および図３に示すように、本実施形態では、係止凸部１４はピン状に形成され、固定部１２においてケーブル体４への巻方向一端側寄りに一つ配置されている。巻方向一端側寄りとは、巻方向一端に対して巻方向他端側へ位置ずれした位置である。巻方向とは、固定部１２を、ケーブル体４の一部を覆うように巻く方向である。この巻方向は固定部１２の長手方向である。固定部１２の長手方向長さは、ケーブル体本体８の外周面１７の周方向長さと同等に形成されている。
【００２５】
係止凸部１４は、無負荷の状態で固定部１２の他表面１３である外面に対し外向き（直交する方向）に突出して設けられている。係止凸部１４は、他表面１３から一体に立上げられた小円柱状の基部１８と、基部１８に一体的に形成され基部１８対して大径に形成された頭部１９とを備える。基部１８から頭部１９へ急拡大する面は、係止孔部１５に係止する係止面２０とされている。頭部１９の周囲は、円弧面に面取りされている。
【００２６】
図２および図３に示すように、係止孔部１５は、本実施形態では、固定部１２においてケーブル体４への巻方向他端側寄りに一つ配置されている。巻方向他端側寄りとは、巻方向他端に対して巻方向一端側へ位置ずれした位置である。係止孔部１５は、係止凸部１４に対応するよう設けられている。係止孔部１５は、固定部１２を厚み方向に貫通して形成されており、係止孔部１５の孔径は、基部１８より大きく頭部１９の最大径より小さい。係止孔部１５は、固定部１２の他表面１３側、および他表面１３と反対側の一表面２１側では、錐面状に拡大されている。
【００２７】
係止孔部１５の孔径が頭部１９の最大径より小さく形成されていたとしても、固定部１２および係止凸部１４は可撓性および伸縮性を備えた材料から形成されていることにより、係止凸部１４を係止孔部１５に嵌合させる際に係止凸部１４が変形し、また、係止孔部１５が拡大することにより、係止孔部１５に係止凸部１４を挿通することができる。
【００２８】
図１ないし図３に示すように、キャップ１６は、ＵＳＢコネクタ５に対し着脱自在に且つ装着可能に構成されている。具体的に、キャップ１６は片側を開放した袋状に形成されており、ＵＳＢコネクタ５を収容可能な、収容凹部２４を備えている。キャップ１６は、連結部２５を介して固定部１２に取付けられている。
【００２９】
連結部２５は、固定部１２の他表面１３の幅方向中央に、且つ長手方向の係止凸部１４寄りに一体的に形成されている。これにより、係止孔部１５に係止凸部１４を挿入しやすくなる。連結部２５は、キャップ１６をＵＳＢコネクタ５に安定した状態で被せられる余長を有している。連結部２５は、固定部１２とキャップ１６とを連結している。キャップ１６および固定部１２は、連結部２５により連結されているからキャップ１６の紛失がない。
【００３０】
上記構成を備えたコネクタ保護具１は、ユーザにより、例えば図１に示すように、帯状の固定部１２を、端子部本体７とブッシング部９との境界部分の第二段付面１１の近傍に位置するよう、ブッシング部９の外周面を覆うように巻いて装着される。ブッシング部９は、ケーブル２においてＵＳＢコネクタ５以外の部分の一例である。固定部１２は、可撓性および伸縮性を備えている。このため、固定部１２をブッシング部９の径に応じて外周面に沿うよう伸長させることで、ブッシング部9の外周面に容易に沿わすことができる。
【００３１】
ユーザが固定部１２をブッシング部９の外周面に巻く場合、図５（ａ）に示すように、固定部１２の他表面１３を径外方向側とし、一表面２１を径内方向側として、図５（ｂ）に示すように、係止凸部１４を係止孔部１５に一表面２１側から挿入されるよう嵌合される。
【００３２】
そして前述したように、係止孔部１５の孔径が係止凸部１４の頭部１９の最大径より小さく形成されていたとしても、固定部１２および係止凸部１４は可撓性および伸縮性を備えた材料から形成されている。このことにより、係止凸部１４を係止孔部１５に嵌合させる際に係止凸部１４が変形し、また、係止孔部１５が拡大することにより、係止孔部１５に係止凸部１４を挿通させることができ、ケーブル２に対し固定部１２を楽に装着させられる。
【００３３】
図５（ｂ）に示すように、係止凸部１４が係止孔部１５に挿通されたら、固定部１２が湾曲状態から平板状に復元する弾性復元力により、係止凸部１４の頭部１９の係止面２０が、他表面１３における係止孔部１５の外周部に係止する。このため、係止凸部１４が係止孔部１５から抜止めされて、ケーブル２に対する固定部１２の装着状態が保持される。
【００３４】
固定部１２がブッシング部９に装着された図５（ｂ）の状態では、固定部１２がケーブル２にまだ装着されていない状態に比べて、固定部１２の肉厚が薄くなっている。これは、固定部１２の装着のために、固定部１２を巻方向に引き伸ばしたためである。このように、本実施形態における固定部１２は、これを巻方向に引き伸ばしたことに対する弾性復元力により、ケーブル２に対する固定部１２の装着状態を保持するようにしている。
【００３５】
そこで本実施形態では、固定部１２の長手方向長さを、ケーブル体本体８の周方向長さと同等に形成している。また、係止凸部１４は、固定部１２においてケーブル体４への巻方向一端側寄りに配置され、係止孔部１５は、固定部１２においてケーブル体４への巻方向他端側寄りに配置された構成を採用している。この構成によれば、固定部１２をブッシング部９に装着すべく係止凸部１４を係止孔部１５に嵌合するには、固定部１２を巻方向に引き伸ばさなければならない。よって、一表面２１を内面として固定部１２をブッシング部９に巻き、係止凸部１４を内面側から係止孔部１５に嵌合させた状態では、固定部１２の巻方向両端どうしが径内方向径外方向で重なり、その分だけ固定部１２が巻方向に伸ばされる。これにより固定部１２の弾性復元力が係止凸部１４と係止孔部１５との係止力として働いて、係止凸部１４が係止孔部１５から外れにくくなる。したがって、固定部１２はブッシング部９に対し安定した装着状態を維持される。
【００３６】
このようにして、コネクタ保護具１をブッシング部９に装着した後、ユーザは、固定部１２を第二段付面１１に向かってブッシング部９の軸方向に沿ってずらし、第二段付面１１に固定部１２の側面を当接させる（図１の仮想線参照）。これにより、端子部本体７とブッシング部９とが、固定部１２を介して一体性を向上させられるから、ブッシング部９は撓みにくくなり、ブッシング部９と端子部本体７との連結部分における断線が防止される。
【００３７】
次に、ユーザはキャップ１６を手指で摘んで、これをＵＳＢコネクタ５に被せる。キャップ１６は、連結部２５を介して固定部１２に取付けられている。そして、前述したように、固定部１２はブッシング部９に装着された状態を保持されており、連結部２５は、キャップ１６をＵＳＢコネクタ５に安定した状態で被せられる余長を有している。このため、ユーザがキャップ１６をＵＳＢコネクタ５に被せるためにキャップ１６を介して連結部２５を引いても、その引張力は連結部２５が伸長することで吸収されて、ブッシング部９への固定部１２の装着状態に影響は与えにくい。したがって、ブッシング部９に対し定まった位置での固定部１２の装着状態が保持される。
【００３８】
本実施形態のコネクタ保護具１では、図１の一点鎖線に示すように、固定部１２を、ケーブル２のうちの最も断面が小さいケーブル体本体８に装着させることもできる。ケーブル体本体８は、ケーブル２のうちのＵＳＢコネクタ５以外の部分の一例である。この場合ユーザは、無負荷状態において帯状の固定部１２を、ブッシング部９とケーブル体本体８との境界部分である第一段付面１０の近傍に位置するようにして、ケーブル体本体８に巻付ける。そして、固定部１２の長手方向長さは、ケーブル体本体８の長さと同等に形成されている。このため、係止凸部１４を係止孔部１５に嵌合するには、固定部１２を巻き方向に引き伸ばさなければならない。したがって、係止凸部１４を係止孔部１５に嵌合するようにして固定部１２をケーブル体本体８に装着させると、固定部１２の弾性復元力が係止凸部１４と係止孔部１５との係合力として働いて、係止凸部１４が係止孔部１５から外れにくくなり、ケーブル体本体８に対し固定部１２が安定して装着される。
【００３９】
上記のようにして固定部１２をケーブル体本体８に装着させた後に、ユーザは、固定部１２をケーブル体本体８の長手方向に沿ってずらし、固定部１２の幅方向一端をブッシング部９の第一段付面１０に当接させる。このようにすることにより、固定部１２を介してブッシング部９とケーブル体本体８との一体性を向上させられるから、ブッシング部９に対してケーブル体本体８が撓みにくくなり、ブッシング部９とケーブル体本体８との連続部分における断線が防止される。
【００４０】
本実施形態のコネクタ保護具１では、図示しないが、帯状の固定部１２を、ケーブル２のうちの最も断面が大きい端子部本体７に装着させることもできる。端子部本体７は、ケーブル２のうちのＵＳＢコネクタ５以外の部分の一例である。この場合では、ブッシング部９、あるいはケーブル体本体８に装着した場合と同様に、ユーザは、端子部本体７の大きさに応じて固定部１２を巻き方向に引き伸ばし、係止凸部１４を係止孔部１５に嵌合するようにして、固定部１２を端子部本体７に装着させる。
【００４１】
上記各実施形態では、コネクタ保護具１の装着対象物としてＵＳＢケーブル２の場合を例示した。しかしながら、装着対象物としてＵＳＢケーブル２に限定されず、装着対象物は、その他の規格のコネクタを備えたケーブルや、あるいは端子部６にコンセントプラグを備えたケーブルであってもよい。また、ケーブルはブッシング部９を有しないタイプであってもよく、この場合では、コネクタ保護具１の固定部１２は、ケーブル体本体あるいは端子部本体に装着される。
【００４２】
上記各実施形態では、固定部１２は、その幅方向中央に、係止凸部１４と係止孔部１５を一つずつ設けたが、固定部１２の幅方向に複数設けるようにしてもよい。
【００４３】
上記各実施形態では、固定部１２の一表面２１が平坦な面であることを例示した。しかしながら、固定部１２の一表面２１に滑止め用の凸部を複数形成するようにしてもよい。
【００４４】
上記各実施形態では、連結部２５は可撓性および伸縮性を備えた材料で形成した線状体を例示した。しかしながら、螺旋状に巻かれた伸縮性を有する線状体であってもよく、着色された紐を編みこんで作られたコードであってもよい。
【符号の説明】
【００４５】
１…コネクタ保護具、２…ケーブル、３…電気配線、４…ケーブル体、５…コネクタ、６…端子部、７…端子部本体、８…ケーブル体本体、９…ブッシング部、１０…第一段付面、１１…第二段付面、１２…固定部、１３…他表面、１４…係止凸部、１５…係止孔部、１６…キャップ、１７…外周面、２０…係止面、２１…一表面、２４…収容凹部、２５…連結部
【図１】
2019003738.tif 000003
【図２】
2019003738.tif 000004
【図３】
2019003738.tif 000005
【図４】
2019003738.tif 000006
【図５】
2019003738.tif 000007